(57)【要約】 【課題】  信頼性が高く、小形および簡素化を図ることができる電磁弁装置を提供する。【解決手段】  コイル１７に電力が導かれ、弁体１６が磁気的作用によって変位駆動され、弁通路４３の開度が調整される。このように弁体１６を駆動するための電力は、導電線体１８によってコイル１７に導かれる。導電線体１８は、ハウジング１５のタンク１１から露出する部分およびコイル１７が設けられる部分にわたって設けられ、ハウジング１５内部を挿通する状態でハウジング１５に保持される。このように導電線体１８は、ハウジング１５を挿通して設けられ、ハウジング１５に保持されているので、外部から加わる振動および衝撃に対して保護されている。これによって導電線体１８の耐振動および耐衝撃の信頼性を高くすることができる。また導電線体１８をハウジング１５に収めることによって、導電線体１８をハウジング１５にすっきりと収めることができる。【選択図】      図１
2008232440.tif 000002
【特許請求の範囲】
【請求項１】
圧力流体を扱う圧力装置に、部分的に圧力装置から露出する状態で内蔵される電磁弁装置であって、
弁通路によって連通される一次ポートおよび二次ポートが形成されるハウジングと、
変位可能に設けられ、この変位によって弁通路の開度を変化させる弁体と、
電力を利用して磁気的作用によって、弁体を変位駆動する電磁駆動手段と、
ハウジングの圧力装置から露出する部分および電磁駆動手段が設けられる部分にわたって、ハウジング内部に挿入する状態で、複数のハウジング部が連結された構造を有するハウジングに保持され、電磁駆動手段に電力を導くための導電手段と、
各ハウジング間に介在される合成樹脂製のスペーサとを有し、
少なくとも、ハウジング、弁体および電磁駆動手段は、予め定める基準軸線に沿って配置され、
一次ポートは、ハウジングの基準軸線に沿う方向の圧力装置内部に配置される端部に形成され、
前記導電手段は、各ハウジング部にそれぞれ保持される導電片が接続されて構成され、
各導電片は、各ハウジング部の連結操作に伴って接続され、
二次ポートが形成されるハウジング部と、このハウジング部に保持される導電片との間には、シール部材が設けられることを特徴とする電磁弁装置。
【請求項２】
相互に接続される２つの導電片は、一方の導電片の端部がピン状に形成され、他方の導電片の端部がソケット状に形成され、
一方の導電片のピン状の端部を、他方の導電片のソケット状の端部に挿入することによって、他方の導電片のソケット状の端部によって、一方の導電片のピンの端部を保持することを特徴とする請求項１記載の電磁弁装置。
【発明の詳細な説明】
【技術分野】
【０００１】
本発明は、高圧ガス装置などの圧力装置に設けられる電磁弁装置に関する。
【背景技術】
【０００２】
図４は、従来の技術の電磁弁１を示す斜視図である。電磁弁１は、非特許文献１に示されている。電磁弁１は、天然ガス自動車用のタンクの開口部に、軸線方向一端部２寄りの部分をタンク内に装入した状態で、軸線方向他端部３を螺着して設けられる。電磁弁１は、コイルへの電力供給が制御されることによって、開閉制御される構成であり、コイルに電力を導くためのリード線４を有している。このリード線４は、弁体などが収容されるハウジング５外に剥き出しの状態で設けられている。また電磁弁１では、タンク内のガスを取り込むための一次ポート６は、軸線方向中間部に半径方向外方に開口して形成されている。このような電磁弁１は、インタンクバルブなどと呼ばれ、たとえば米国のスーペリア（Superior）社製の弁が知られている。
【０００３】
【非特許文献１】ソレノイド操作型バルブに関する株式会社ハマイ発行のパンフレット、ｐ．３４
【発明の開示】
【発明が解決しようとする課題】
【０００４】
従来の技術の電磁弁１では、リード線４がタンク内で剥き出しの状態で設けられている。このリード線４は、中途部が結束具７で結束されてはいるが、振動および衝撃などが外部から加わると、これに伴って振動するなど変位してしまう。これによって電磁弁１の信頼性が低くなってなってしまう。さらにリード線４が剥き出しであると、電磁弁１のタンク内に装入される部分が、大形および複雑化してしまう。また一次ポート６が、半径方向外方に開口する構成では、この一次ポート６がタンク内に臨む位置まで、電磁弁１をタンク内に無駄に装入しなければならない。これによっても電磁弁１のタンク内に装入される部分が、大形および複雑化してしまう。
【０００５】
本発明の目的は、信頼性が高く、小形および簡素化を図ることができる電磁弁装置を提供することである。
【課題を解決するための手段】
【０００６】
本発明は、圧力流体を扱う圧力装置に、部分的に圧力装置から露出する状態で内蔵される電磁弁装置であって、
弁通路によって連通される一次ポートおよび二次ポートが形成されるハウジングと、
変位可能に設けられ、この変位によって弁通路の開度を変化させる弁体と、
電力を利用して磁気的作用によって、弁体を変位駆動する電磁駆動手段と、
ハウジングの圧力装置から露出する部分および電磁駆動手段が設けられる部分にわたって、ハウジング内部に挿入する状態で、複数のハウジング部が連結された構造を有するハウジングに保持され、電磁駆動手段に電力を導くための導電手段と、
各ハウジング間に介在される合成樹脂製のスペーサとを有し、
少なくとも、ハウジング、弁体および電磁駆動手段は、予め定める基準軸線に沿って配置され、
一次ポートは、ハウジングの基準軸線に沿う方向の圧力装置内部に配置される端部に形成され、
前記導電手段は、各ハウジング部にそれぞれ保持される導電片が接続されて構成され、
各導電片は、各ハウジング部の連結操作に伴って接続され、
二次ポートが形成されるハウジング部と、このハウジング部に保持される導電片との間には、シール部材が設けられることを特徴とする電磁弁装置である。
【０００７】
本発明に従えば、電磁駆動手段に電力が導かれ、弁体が磁気的作用によって変位駆動され、弁通路の開度が調整される。このように弁体を駆動するための電力は、導電手段によって電磁駆動手段に導かれる。導電手段は、ハウジングの圧力装置から露出する部分および電磁駆動手段が設けられる部分にわたって設けられ、ハウジング内部を挿通する状態でハウジングに保持される。このように導電手段は、ハウジングを挿通して設けられ、ハウジングに保持されているので、外部から加わる振動および衝撃に対して保護されている。これによって導電手段の耐振動および耐衝撃の信頼性を高くすることができる。また導電手段をハウジングに収めることによって、導電手段をハウジングにすっきりと収めることができる。
【０００８】
また、導電手段は、複数の導電片を有し、各導電片が各ハウジング部にそれぞれ保持されている。各ハウジング部が連結されると、これに伴って各導電片が接続される。このように各ハウジング部の連結作業と個別に導電片の接続作業を必要とすることなく、各ハウジング部を連結して構成されるハウジングに、導電手段を設けることができる。
【０００９】
また、一次ポートが、ハウジングの基準軸線に沿う方向の圧力装置内部に配置される端部に形成される。このように一次ポートを端部に形成することによって、軸線に沿う方向の中間部に基準軸線と交差する方向に開口する一次ポートを形成する場合に比べて、一次ポートが圧力装置内部で開口するように構成する上での制限を少なくすることができる。
【００１０】
また、二次ポート側のハウジング部と導電片との間にシール部材が設けられる。このシール部材を設けることによって、ハウジング部と導電片との間を経て、流体が漏れることを防止することができる。
【００１１】
また本発明は、相互に接続される２つの導電片は、一方の導電片の端部がピン状に形成され、他方の導電片の端部がソケット状に形成され、
一方の導電片のピン状の端部を、他方の導電片のソケット状の端部に挿入することによって、他方の導電片のソケット状の端部によって、一方の導電片のピンの端部を弾発的に挟持することを特徴とする。
【００１２】
本発明に従えば、各導電片は、ピン状の端部をソケット状の端部に挿入することによって、ピン状の端部がソケット状の端部によって弾発的に挟持され、相互に接続される。このようにして各導電片の接続が可能であり、ハウジング部の連結に伴って接続することができる導電手段を実現することができる。
【発明の効果】
【００１３】
本発明によれば、導電手段をハウジング内部を挿通するように設けることによって、導電手段の信頼性を高くし、電磁弁装置の信頼性を高くすることができる。また導電手段をハウジングに収めることによって、電磁弁装置を、小形および簡素化、つまりコンパクト化することができる。このように信頼性が高く、かつコンパクトな電磁弁装置を得ることができる。
【００１４】
また、ハウジング部を連結することによって、ハウジングの内部を挿通させて導電手段を設けることができる。したがって小形かつ簡素な構成で、組立性の良好な電磁弁装置を実現することができる。
【００１５】
また、一次ポートが圧力装置内部の端部に形成されるので、一次ポートを圧力装置内部で開口させるための制限が少なくなり、電磁弁をコンパクト化することができる。
【００１６】
また、シール部材が二次ポート側のハウジング部と導電片との間に設けられるので、流体の漏れを防止できる好適な電磁弁装置を実現することができる。
【００１７】
また本発明によれば、ハウジング部を突き合せるようにして連結することによって、ピン状の端部がソケット状の端部に挿入され、各導電片が接続される。したがって各ハウジング部の簡単な連結操作で、同時に導電片の接続を達成することができ、組立性の良好にすることができる。
【発明を実施するための最良の形態】
【００１８】
図１は、本発明の実施の一形態の電磁開閉弁１０を示す断面図である。電磁開閉弁１０は、流体であるガスを取扱う圧力装置に設けられる電磁弁装置である。圧力装置は、たとえば圧力容器、さらに具体的には高圧ガスタンク（以下、単に「タンク」という）１１であり、特に、天然ガス自動車用の燃料タンクなど、可燃ガスを収容するタンク１１に、電磁開閉弁１０が好適に用いられる。
【００１９】
この電磁開閉弁１０は、タンク１１内の空間（以下「タンク内空間」という）１２からタンク内空間１２よりも低圧のタンク１１外の空間（以下「タンク外空間」という）１３へのガスの排出を制御する。具体的に述べると、電磁開閉弁１０は、タンク１１の開口部１４に設けられ、開口部１４を開閉制御して、ガスの排出を許容する状態と、ガスの排出を停止する状態とに切換える。
【００２０】
電磁開閉弁１０は、ハウジング１５と、弁体１６と、コイル１７と、導電線体１９と、駆動ばね部材１８とを有する。ハウジング１５に、弁体１６と、コイル１７と、導電線体１９と、駆動ばね部材１８とが保持されて、電磁開閉弁１０が構成される。電磁開閉弁１０は、予め定める基準軸線Ｌ１０を有しており、基準軸線Ｌ１０に平行な方向（以下「軸線方向」という）Ｘ１，Ｘ２の一方Ｘ１側の部分がタンク内空間１２に配置され、他方Ｘ２側の部分がタンク外空間１３に露出するように設けられる。
【００２１】
ハウジング１５は、複数のハウジング部、本実施の形態では、第１および第２の２つのハウジング部２１，２２が連結されて構成される。ハウジング１５は、その軸線が基準軸線Ｌ１０と一致しており、軸線方向一方Ｘ１側に第１ハウジング部２１が設けられ、他方Ｘ２側に第２ハウジング部２２が設けられる。
【００２２】
第１ハウジング部２１は、内挿体２４と、外套体２５とを有する。内挿体２４は、固定磁極部材２６と、非磁性ガイド部材２７と、磁性ガイド部材２８と、連結筒部材２９とを有する。固定磁極部材２６は、たとえば鋼である強磁性材料から成り、大略的に円柱状に形成される。非磁性ガイド部材２７は、非磁性材料から成り、円筒状に形成される。磁性ガイド部材２８は、たとえば鋼である磁性材料から成り、円筒状に形成される。連結筒部材２９は、大略的に円筒状に形成される。
【００２３】
非磁性ガイド部材２７および磁性ガイド部材２８は、内径、外径および厚み寸法が相互にほぼ同一であり、磁性ガイド部材２８の内径が、非磁性ガイド部材２７の内径よりも大きく形成されている。また非磁性ガイド部材２７および磁性ガイド部材２８は、固定磁極部材２６および連結筒部材２９の各平均外径とほぼ同一の外径を有している。
【００２４】
固定磁極部材２６、非磁性ガイド部材２７、磁性ガイド部材２８および連結筒部材２９が、軸線方向一方Ｘ１側から軸線方向他方Ｘ２側に向けて、この順に並べられ、接着または溶接などによって、相互に機械的に結合されて一体化される。このようにして軸線方向他方Ｘ２に開放する第１ハウジング凹所３５が形成される有底筒状の内挿体２４が構成される。
【００２５】
外套体２５は、ソレノイドケース部材３０と、コイルボビン部材３１とを有する。ソレノイドケース部材３０は、軸線方向一方Ｘ１の端部に内向きのフランジ部を有する円筒状である。コイルボビン部材３１は、軸線方向両端部に外向きのフランジ部を有する円筒状である。ソレノイドケース部材３０のフランジ部を除く部分の内径は、コイルボビン部材３１のフランジ部を除く部分の外径よりも大きく形成されている。
【００２６】
コイルボビン部材３１が、ソレノイドケース部材３０に、軸線方向他方Ｘ２側から内挿され、ソレノイドケース部材３０の軸線方向他方Ｘ２側の端部に継鉄部材３２が嵌め込まれて抜止めされ、ソレノイドケース部材３０とコイルボビン部材３１とが連結される。このようにして円筒状の外套体２５が構成される。この外套体２５は、ソレノイドケース部材３０およびコイルボビン部材３１によって規定されるコイル室３４を有し、内挿体２４の固定磁極部材２６から磁性ガイド部材２８にわたる位置に、外嵌されて設けられる。
【００２７】
第２ハウジング部２２は、軸線方向一方Ｘ１に開放する第２ハウジング凹所３６が、基準軸線Ｌ１０に沿って形成されている。この第２ハウジング部２２の軸線方向一方Ｘ１の端部には、内周部に内ねじが刻設されている。
【００２８】
第１ハウジング部２１の内挿体２４を構成する連結筒部材２９には、軸線方向他方Ｘ２側の部分の外周部に外ねじが刻設されている。この連結筒部材２９が第２ハウジング部２２に螺着されて、第１ハウジング部２１の内挿体２４が第２ハウジング部２２に連結される。
【００２９】
第１ハウジング部２１の内挿体２４を構成する固定磁極部材２６には、軸線方向一方Ｘ１側の端部の外周部に外ねじが刻設されている。内挿体２４が第２ハウジング部２２に連結された状態で、内挿体２４に外套体２５が外嵌される。外套体２５よ第２ハウジング部２２との間には、環状の樹脂製スペーサ３７が介在され、固定磁極部材２６に内ねじが刻設された固定ナット部材３８が螺着される。
【００３０】
これによって第２ハウジング部２２と固定ナット部材３８とによって、外套体２５およびスペーサ３７を挟持するようにして固定される。このようにして、第１および第２ハウジング部２１，２２が連結され、ハウジング１５が構成され、ハウジング１５内に、第１および第２ハウジング凹所３５，３６によって、弁室空間２００が形成される。
【００３１】
第１ハウジング部２１の内挿体２４を構成する固定磁極部材２６には、基準軸線Ｌ１０に沿って貫通する一次通路３９が形成される。また第２ハウジング部２２には、基準軸線Ｌ１０に沿って貫通する二次通路４０が形成される。弁室空間２００は、一次通路３９を介してハウジング１５の外部空間となるタンク内空間１２に連通され、二次通路４０を介してハウジング１５の外部空間となるタンク外空間１３に連通される。
【００３２】
一次通路３９のタンク内空間１２に開放する開口が一次ポート４１となり、二次通路４０のタンク内空間１２に開放する開口が二次ポート４２となる。また弁室空間２００には、弁体１６などが設けられ、この状態で、弁室空間２００、一次通路３９および二次通路４０によって、弁通路４３構成される。このようにして、ハウジング１５には、一次ポート４１および二次ポート４２ならびに弁通路４３が形成され、一次ポート４１および二次ポート４２は弁通路４３によって連通される。図１には、二次ポート４２の部分が省略されて示されているが、理解を容易にするために、図中における二次通路４０の端に二次ポートの符号「４２」を付す。
【００３３】
図２は、図１の弁体１６付近を拡大して示す断面図である。図１を併せて参照して、弁体１６は、弁通路４３を開閉するための手段であって、主弁体４４と、パイロット弁体４５と、可動鉄心４６とを有する。パイロット弁体４５と可動鉄心４６とは一体に構成され、これらパイロット弁体４５および可動鉄心４６と、主弁体４４とは、相互に変位可能に構成され、弁体１６は、二段形の弁体として構成される。主弁体４４、パイロット弁体４５および可動鉄心４６は、軸線を基準軸線Ｌ１０と一致させて、弁室空間２００に、ハウジング１５と同軸に設けられる。
【００３４】
主弁体４４は、筒部５０と、筒部５０の一端部を塞ぐ底部５１とを有し、大略的に有底筒状に形成される。主弁体４４は、底部５１を軸線方向他方Ｘ２側に配置して、第２ハウジング部２２に嵌まり込み、軸線方向Ｘ１，Ｘ２へ変位可能に第２ハウジング部２２に支持されている。
【００３５】
第２ハウジング部２２には、二次通路４０の弁室空間２００に開放する開口を囲むように主弁座４７が形成されている。主弁体４４は、底部５１に形成される主弁シート部分４９が主弁座４７に着座する主弁閉位置と、主弁シート部分４９が主弁座４７から離間する主弁開位置とにわたって、主弁閉位置から主弁開位置に向かう主弁開方向、および主弁開位置から主弁閉位置に向かう主弁閉方向に変位可能である。
【００３６】
主弁体４４には、外周部に、凹溝４８が軸線方向Ｘ１，Ｘ２に貫通して形成されており、この凹溝４８を利用して、主弁体４４とハウジング１５との間に主通路５９が形成される。主弁体４４は、主弁閉位置にあるとき、主通路５９を閉鎖して、主通路５９と二次通路４０とを遮断する。また主弁体４４は、主弁開位置にあるとき、主通路５９を開放して、主通路５９と二次通路４０とを接続する。
【００３７】
主弁開方向は、軸線方向一方Ｘ１であり、以下、主弁開方向にも同一の符号Ｘ１を付す場合がある。また主弁閉方向は、軸線方向他方Ｘ２であり、以下、主弁閉方向にも同一の符号Ｘ２を付す場合がある。
【００３８】
パイロット弁体４５は、大略的に円柱状であり、軸線方向一方Ｘ１側の端部６３寄りの部分で、連結筒部材２９に軸受部材６４を介して、軸線方向Ｘ１，Ｘ２へ変位可能に支持されている。この状態で、パイロット弁体４５の軸線方向他方Ｘ２側の端部５５は、主弁体４４の筒部５０に緩やかに嵌まり込んでいる。
【００３９】
パイロット弁体４５の軸線方向他方Ｘ２側の端部５５には、パイロット弁体４５の軸線（基準軸線Ｌ１０と一致）と直交して、貫通する連結孔５６が形成されている。主弁体４４には、筒部５０に、主弁体４４の軸線（基準軸線Ｌ１０と一致）と直交して、軸状の連結部材５７が設けられており、この連結部材５７が、連結孔５６に緩やかに挿通されて、パイロット弁体４５は主弁体４４に連結されている。この状態で、パイロット弁体４５は、主弁体４４に対して、軸線方向Ｘ１，Ｘ２へ変位可能である。
【００４０】
パイロット弁体４５の軸線方向他方Ｘ２側の端部５５と、主弁体４４の筒部５０との間に、隙間をあけており、パイロット通路５２が形成されている。また主弁体４４の底部５１には、基準軸線Ｌ１０に沿う弁孔６０が形成されており、さらにこの弁孔６０の筒部５０内に開放する開口を囲むようにパイロット弁座６１が形成されている。
【００４１】
パイロット弁体４５は、軸線方向他方Ｘ２側の端部５５に形成されるパイロット弁シート部分６２がパイロット弁座６１に着座するパイロット弁閉位置と、パイロット弁シート部分６２がパイロット弁座６１から離間するパイロット弁開位置とにわたって、パイロット弁閉位置からパイロット弁開位置に向かうパイロット弁開方向、およびパイロット弁開位置からパイロット弁閉位置に向かうパイロット弁閉方向に変位可能である。
【００４２】
パイロット弁体４５は、パイロット弁閉位置にあるとき、パイロット通路５２を閉鎖して、パイロット通路５２と弁孔６０とを遮断する。またパイロット弁体４５は、パイロット弁開位置にあるとき、パイロット通路５２を開放して、パイロット通路５２と弁孔６０とを接続する。
【００４３】
パイロット弁開方向は、軸線方向一方Ｘ１であり、以下、パイロット弁開方向にも同一の符号Ｘ１を付す場合がある。またパイロット弁閉方向は、軸線方向他方Ｘ２であり、以下、パイロット弁閉方向にも同一の符号Ｘ２を付す場合がある。
【００４４】
可動鉄心４６は、強磁性材料から成り、大略的に円柱状に形成される。可動鉄心４６は、軸線方向一方Ｘ１側の案内部６６と、軸線方向他方Ｘ２側の外周通路形成部６７とを有する。案内部６６には、その軸線（基準軸線Ｌ１０）と一致に沿って軸線方向Ｘ１，Ｘ２に延び、軸線方向一方Ｘ１へ開放する軸通路６８が形成される。外周通路形成部６７には、外周部に軸線方向Ｘ１，Ｘ２に延び、軸線方向他方Ｘ２へ開放する外周通路６９が形成される。さらに可動鉄心４６には、軸通路６８と外周通路６９とを連通する連絡通路７２が形成されている。
【００４５】
可動鉄心４６は、固定磁極部材２６と連結筒部材２８との間に嵌まり込んでいる。この状態で、案内部６６は、非磁性ガイド部材２７に嵌まり込んでいる。可動鉄心４６と磁性ガイド部材２８とは、可動鉄心４６と非磁性ガイド部材２７とよりも、大きな隙間をあけており、可動鉄心４６は、非磁性ガイド部材２７に支持され、軸線方向Ｘ１，Ｘ２に変位可能に案内される。
【００４６】
パイロット弁体４５と可動鉄心４６とは、螺着されるなどして、相互に機械的に結合されている。このようにパイロット弁体４５と可動鉄心４６とは、連結されて一体化されており、一体の構成体として変位する。この場合、この構成体は、パイロット弁体４５の軸受６４による支持と、可動鉄心４６の非磁性ガイド部材２７による支持との、２カ所で支持され、高精度の案内性を達成して、円滑に変位させることができる。
【００４７】
電磁駆動手段であるコイル１７は、通電されることによって、言い換えれば電力が与えられることによって、磁気力を発生させ、その磁気力で弁体１６を変位駆動する手段である。このコイル１７は、ソレノイドコイルであり、その軸線を基準軸線Ｌ１０と一致させて、固定磁極部材２６の少なくとも一部および可動鉄心４６の少なくとも一部を半径方向外方から覆うように設けられる。具体的には、コイル１７は、第１ハウジング部２１の外套体２５のコイル室３４に嵌まり込んで、ハウジング２１内部に保持されている。
【００４８】
コイル１７は、通電されると、固定磁極部材２６および可動鉄心４６を、共に磁化し、固定磁極部材２６および可動鉄心４６に、相互に近接するように軸線方向Ｘ１，Ｘ２の磁気吸引力を与える。これによってハウジング１５の一部を成す固定磁極部材２６に近づくように、可動鉄心４６を軸線方向一方Ｘ１へ変位駆動する。可動鉄心４６を変位駆動することによって、パイロット弁体４５をパイロット弁開方向Ｘ１へ変位駆動し、さらにパイロット弁体４５に連結される主弁体４４を主弁開方向Ｘ１へ変位駆動することができる。したがってコイル１７は、弁体１６を開方向Ｘ１へ変位駆動する。
【００４９】
弾性押圧手段である駆動ばね部材１８は、弾性回復力であるばね力を利用して弁体１６を変位駆動する手段である。この駆動ばね部材１８は、圧縮コイルばねであって、その軸線を基準軸線Ｌ１０と一致させて、パイロット弁体４５に外嵌されて、弁室空間２００に設けられる。
【００５０】
パイロット弁体４５には、主弁体４４と連結筒部材２９との間の部分に、半径方向外方に突出するフランジ状のばね受片７０が形成されている。また連結筒部材２９には、ばね受け部７１が形成されている。駆動ばね部材１８は、軸線方向一方Ｘ１側の端部が連結筒部材２９のばね受け部７１に支持され、軸線方向他方Ｘ２側の端部がパイロット弁体４５のばね受け片７０に支持されている。
【００５１】
駆動ばね部材１８は、パイロット弁体４５に、軸線方向他方Ｘ２へのばね力を与える。これによってパイロット弁体４５を、可動鉄心４６とともに、軸線方向他方となるパイロット弁閉方向Ｘ２へ変位駆動し、さらにパイロット弁体４５に連結される主弁体４４を主弁閉方向Ｘ２へ変位駆動することができる。したがって駆動ばね部材１８は、弁体１６を閉方向Ｘ１へ変位駆動する。この駆動ばね部材１８による駆動力は、コイル１７による駆動力よりも小さい。
【００５２】
図３は、図１の導電線体１９付近を拡大して示す断面図である。図１を併せて参照して、導電手段である導電線体１９は、コイル１７に電力を導くための手段である。この導電線体１９は、ハウジング１５のタンク１１から露出する部分、つまりタンク外空間１３に露出する部分と、ハウジング１５のコイル１７が設けられる部分、つまりコイル室３４とにわたって、ハウジング１５内部を挿通する状態で設けられ、ハウジング１５に保持されている。
【００５３】
換言すれば、導電線体１９は、コイル１７に接続され、タンク内空間１２に露出させることなく、また弁室空間４３に露出させることなく、ハウジング１５内部を挿通してタンク外空間１３に引出される。この導電線体１９は、第１および第２ハウジング部２１，２２にそれぞれ保持される第１および第２導電片７５，７６が接続されて構成される。
【００５４】
第１導電片７５は、第１ハウジング部２１に、具体的には、外套体２５におけるコイルボビン部材３１の軸線方向他方Ｘ２側のフランジ部（以下、「保持フランジ」という）７８に保持されている。この保持フランジ７８には、接続部を収納するための凹所（以下「接続凹所」という）８０が形成されており、この接続凹所８０に、コイル１７を構成する巻き線８２の端部が引出されている。
【００５５】
第１導電片７５は、導電性の材料から成るターミナルピンによって実現され、段差部８３を有し、軸線方向一方Ｘ１側の部分８４が、軸線方向他方Ｘ２側の部分８５に比べて外径が小さく形成されている。この第１導電片７５は、段差部８３が保持部７８の接続凹所８０よりも軸線方向他方Ｘ２側の部分（以下「保持部分」という）８１内部に配置される状態で、この保持部分８１を軸線方向Ｘ１，Ｘ２に挿通している。これによって第１導電片７５は、軸線方向一方Ｘ１への変位が確実に阻止された状態で、保持部分８１に保持されている。
【００５６】
第１導電片７５の軸線方向一方Ｘ１側の部分８４は、端部が接続凹所８０に突出し、この接続凹所８０内で、コイル１７の巻き線８２の端部に、はんだ付けまたは溶接などによって電気的に接続されている。この状態で、接続凹所８０には合成樹脂から成る充填材８３が充填され、第１導電片７５と巻き線８２との接続部が保護されている。第１導電片７５の軸線方向他方Ｘ２側の端部８５は、保持部７８が軸線方向他方Ｘ２へ突出している。
【００５７】
第２導電片７６は、導電性材料から成るリード線８８と、導電性材料から成るターミナルソケット８９とを有し、リード線８８の一端部にターミナルソケット８９が電気的に接続されている。この第２導電片７６は、ターミナルソケット８９を軸線方向一方Ｘ１側に配置して、第２ハウジング２２を軸線方向Ｘ１，Ｘ２に挿通して設けられ、第１および第２ハウジング部２１，２２が連結された状態で、第１導電片であるターミナルピン８５が設けられる位置と軸線方向Ｘ１，Ｘ２に対向する位置に、配置されている。
【００５８】
ターミナルソケット８９は、リード線８８に接続される側と反対側の端部となる軸線方向一方Ｘ１側の端部に、筒状の嵌合部９０を有し、嵌合部９０よりも軸線方向他方Ｘ２側に半径方向外方に突出するフランジ状の係止部９１が形成される。このターミナルソケット８９は、軸線方向一方Ｘ１側の部分を第２ハウジング部２２から部分的に軸線方向一方Ｘ１へ突出させて設けられる。またターミナルソケット８９は、係止部９１の外周端部９２が、第２ハウジング部２２に形成される環状の係止凹所９３に嵌まり込んで係止されている。これによって軸線方向他方Ｘ２への変位が阻止されている。
【００５９】
第１導電片であるターミナルピン７５は、保持部分８１から軸線方向他方Ｘ２へ突出した部分を、スペーサ３７に挿入させている。また第２導電片７６は、ターミナルソケット８９の第２ハウジング部２２から突出した部分を、スペーサ３７に挿入させている。このスペーサ３７内部で、ターミナルピン７５が、ターミナルソケット８９の嵌合部９０に部分的に挿入され、嵌合部９０によって弾発的に挟持される。このようにして第１および第２導電片７５，７６が、機械的および電気的に接続される。
【００６０】
第１および第２ハウジング２１，２２は、まず内挿体２４を第２ハウジング部２２に連結し、その後、外装体２５を第２ハウジング部２２に対して近づけるようにして、内挿体２４に外嵌して装着するようにして、連結される。このような第１および第２ハウジング部２１，２２を連結するときに、第１および第２導電片７５，７６を、第１および第２ハウジング部２１，２２に予め保持させておくと、ターミナルピン７５の軸線方向一方Ｘ１への変位が阻止され、ターミナルソケット８９の軸線方向他方Ｘ２への変位が阻止されているので、つまりターミナルピン７５をターミナルソケット８９に挿入するときに受ける力に効して変位が阻止されるので、第１および第２ハウジング部２１，２２を連結することに伴って、ターミナルピン７５がターミナルソケット８９に挿入され、第１および第２導電片７５，７６が相互に接続される。
【００６１】
またターミナルソケット８９における係止部９１よりも軸線方向他方Ｘ２側の部分を外囲するように、たとえばＯリングである環状のシール部材９５が設けられ、ターミナルソケット８９と第２ハウジング９５との間が気密にシールされる。これによって導電線体１９を、ハウジング１５内部に設けても、ハウジング１５と導電線体１９との間からのガス漏が防止される。またシール部材９５は、ターミナルピン８９の係止部９１が軸線方向一方Ｘ１から臨み、第２ハウジング部２２の一部が軸線方向他方Ｘ２から臨む空間に設けられており、ターミナルピン７５をターミナルソケット８９に挿入するときに、ターミナルソケット８９が受ける力の方向は、シール部材９５が配置される空間を小さくする方向の力であり、シール性が高くなる方向に作用し、高いシール性を達成される。
【００６２】
再び図１を参照して、電磁開閉弁１０は、軸線方向一方Ｘ１側をタンク内空間に挿入し、第２ハウジング部２２の外周部に係止した外ねじを利用してタンク１１に螺着され、タンク１１に装着される。このように電磁開閉弁１０は、弁体１６、コイル１７などの主要な構成部がタンク１１内に入り込んだ状態で、タンク１１に装着される。
【００６３】
このような電磁開閉弁１０の連結筒部材２９には、軸線方向Ｘ１，Ｘ２に貫通するバイパス通路９９が形成されている。ハウジング１５内には、一次通路３９、軸通路６８、連絡通路７２、外周通路６９およびバイパス通路９９を含む一次側部分と、主通路５９、パイロット通路５２および弁孔６０を含む開閉部分と、二次通路４０を含む二次側部分と、を有し、一次ポート４１と二次ポート４２とを連通する弁通路４３が形成される。弁通路４３の開閉部分は、主通路５９を含む通路と、パイロット通路５２および弁孔６０を含む通路との、２系統の通路を有している。
【００６４】
コイル１７への電力供給が停止されている状態では、駆動ばね部材１８のばね力によって弁体１６が駆動されて、閉位置にあり、具体的には主弁体４４が主弁閉位置にあるとともに、パイロット弁体４５がパイロット弁閉位置にある。これによって主通路５９およびパイロット通路５２の両方とも、換言すれば前記２系統の通路が共に閉鎖されている。このように、弁通路４３が閉鎖されて、一次ポート４１と二次ポート４２とが遮断され、電磁開閉弁１０が閉状態にあり、タンク内空間１２のガスのタンク外空間１３への排出が阻止されている。
【００６５】
導電線体１９によって、コイル１７へ電力が供給されると、コイル１７による磁気力で、可動鉄心４６およびパイロット弁体４５が共にパイロット弁開方向Ｘ１へ変位される。そしてパイロット通路５２が開放され、このパイロット通路５２によって一次ポート４１と二次ポート４２とが接続され、ガスがタンク外空間１３に排出される。
【００６６】
このとき主弁体４４は、一次ポート４１に導かれるタンク内空間１２のガスの圧力である一次圧を主弁閉方向Ｘ２に受け、かつ二次ポート４２に導かれるタンク外空間１３のガスの圧力である二次圧を主弁開方向Ｘ１に受けている。一次圧を有効的に受ける有効一次受圧面積と、二次圧を有効的に受ける有効二次受圧面積とは同一である。パイロット弁体４５が開駆動された直後では、一次圧と二次圧との差が大きく、主弁体４４は、一次圧および二次圧に基づく力の合力として、主弁閉方向Ｘ２のガス圧駆動力を受けている。コイル１７による磁気力は、このガス圧駆動力に抗することができず、主弁体４４は、主弁閉位置にある。このようにまず、
この状態で、ガスが排出されると、二次圧が除々に高くなり、一次圧と二次圧との差が除々に小さくなる。このようにしてガス圧駆動力が低下して、やがてコイル１７による磁気力が、このガス圧駆動力に抗することができるようになり、パイロット弁体４５に連結される主弁体４４も主弁開方向Ｘ１へ変位駆動する。これによって主通路５９が開放され、パイロット通路５２とこの主通路５９とを経てガスがタンク外空間１３に排出される。このように２段階の動作によって、弁体１６が開動作し、電磁開閉弁１０が開状態になる。
【００６７】
この開状態から、コイル１７への電力供給を停止すると、弁体１６は、駆動ばね部材１８のばね力で閉方向Ｘ２へ変位され、閉状態に戻る。このようにして、電磁開閉弁１０は、弁通路４３を開閉し、タンク内空間１２のガスの排出を制御することができる。
【００６８】
本実施の形態の電磁開閉弁１０によれば、コイルに電力が導かれ、弁体１６が磁気的作用によって変位駆動され、弁通路４３の開度が調整される。弁体１６は、二段形の弁体であり、前述のように二段階の開動作によって、弁通路４３を開く構成であり、開動作にガス圧による駆動力を利用することができる。したがってコイル１７による駆動力が小さくて済み、コイル１７を小形化して、電磁開閉弁１０を小さくすることができる。
【００６９】
このように弁体１６を駆動するための電力は、導電線体１９によってコイル１７に導かれる。導電線体１９は、ハウジング１５のタンク１１から露出する部分およびコイル１７が設けられる部分にわたって設けられ、ハウジング１５内部を挿通する状態でハウジング１５に保持される。このように導電線体１９は、ハウジング１５を挿通して設けられ、ハウジング１５に保持されているので、外部から加わる振動および衝撃に対して保護されている。これによって導電線体１９の耐振動および耐衝撃の信頼性を高くし、電磁開閉弁１０の信頼性を高くすることができる。また導電線体１９をハウジング１５に収めることによって、導電線体１９をハウジング１５にすっきりと収めることができる。これによって電磁開閉弁１０を、小形および簡素化、つまりコンパクト化することができる。このように信頼性が高く、かつコンパクトな電磁開閉弁１０を得ることができる。
【００７０】
また導電線体１９は、複数、本実施の形態では第１および第２導電片７５，７６を有し、各導電片７５，７６が、ハウジング１５を構成する第１および第２ハウジング部２１，２２にそれぞれ保持されている。各ハウジング部２１，２２が連結されると、これに伴って各導電片７５，７６が接続される。このように各ハウジング部２１，２２の連結作業と個別に各導電片７５，７６の接続作業を必要とすることなく、各ハウジング部２１，２２を連結して構成されるハウジング１５に、導電線体１９を設けることができる。したがって小形かつ簡素な構成で、組立性の良好な電磁開閉弁１０を実現することができる。
【００７１】
また各導電片７５，７６は、ピン状の端部をソケット状の端部に挿入することによって、ピン状の端部がソケット状の端部によって弾発的に挟持され、相互に接続される。このようにして各導電片７５，７６の接続が可能であり、ハウジング部２１，２２の連結に伴って接続することができる導電線体１９を実現することができる。したがって各ハウジング部２１，２２の簡単な連結操作で、同時に導電片７５，７６の接続を達成することができ、組立性の良好にすることができる。
【００７２】
またハウジング１５と導電線体１９との間にシール部材９５が設けられる。このシール部材１５を設けることによって、ハウジング１５と導電線体１９との間を経て、ガスが漏れることを防止することができる。したがって好適な電磁弁装置１０を実現することができる。またターミナルソケット８９の外周表面には、比較的厚い絶縁被膜が係止柄されており、第２ハウジング部２２との電気絶縁性を確保しシール部材との密着性を良好にしてシール性を高くしている。
【００７３】
また一次ポート４１が、ハウジング１５における軸線方向Ｘ１，Ｘ２のタンク内空間１２に配置される端部に形成される。このように一次ポート４１を端部に形成することによって、軸線方向Ｘ１，Ｘ２の中間部に基準軸線Ｌ１０と交差する方向に開口する一次ポートを形成する場合に比べて、一次ポート４１がタンク内空間１２で開口するように構成する上での制限を少なくすることができる。これによって、電磁開閉弁１０をコンパクト化することができる。
【００７４】
さらにハウジング１５のソレノイドケース３０には、ハウジング１５の外部空間、ここではタンク内空間１２に開放する開放孔１００を有し、コイル室３４内を外部の圧力と均一にして、コイル１７に不所望な外力が働くことを防止している。このようにして電磁開閉弁１０の信頼性を高くしている。
【００７５】
前述の実施の形態は、本発明の例示に過ぎず、本発明の範囲内で構成を変更することができる。
【００７６】
本発明は、次の実施の形態が可能である。
（１）圧力流体を扱う圧力装置に、部分的に圧力装置から露出する状態で内蔵される電磁弁装置であって、
弁通路によって連通される一次ポートおよび二次ポートが形成されるハウジングと、
変位可能に設けられ、この変位によって弁通路の開度を変化させる弁体と、
電力を利用して磁気的作用によって、弁体を変位駆動する電磁駆動手段と、
ハウジングの圧力装置から露出する部分および電磁駆動手段が設けられる部分にわたって、ハウジング内部を挿通する状態でハウジングに保持され、電磁駆動手段に電力を導くための導電手段とを含むことを特徴とする電磁弁装置。
【００７７】
電磁駆動手段に電力が導かれ、弁体が磁気的作用によって変位駆動され、弁通路の開度が調整される。このように弁体を駆動するための電力は、導電手段によって電磁駆動手段に導かれる。導電手段は、ハウジングの圧力装置から露出する部分および電磁駆動手段が設けられる部分にわたって設けられ、ハウジング内部を挿通する状態でハウジングに保持される。このように導電手段は、ハウジングを挿通して設けられ、ハウジングに保持されているので、外部から加わる振動および衝撃に対して保護されている。これによって導電手段の耐振動および耐衝撃の信頼性を高くすることができる。また導電手段をハウジングに収めることによって、導電手段をハウジングにすっきりと収めることができる。
【００７８】
導電手段をハウジング内部を挿通するように設けることによって、導電手段の信頼性を高くし、電磁弁装置の信頼性を高くすることができる。また導電手段をハウジングに収めることによって、電磁弁装置を、小形および簡素化、つまりコンパクト化することができる。このように信頼性が高く、かつコンパクトな電磁弁装置を得ることができる。
【００７９】
（２）ハウジングは、複数のハウジング部が連結されて構成され、
導電手段は、各ハウジング部にそれぞれ保持される導電片が接続されて構成され、
各導電片は、各ハウジング部の連結操作に伴って接続されることを特徴とする電磁弁装置。
【００８０】
導電手段は、複数の導電片を有し、各導電片が各ハウジング部にそれぞれ保持されている。各ハウジング部が連結されると、これに伴って各導電片が接続される。このように各ハウジング部の連結作業と個別に導電片の接続作業を必要とすることなく、各ハウジング部を連結して構成されるハウジングに、導電手段を設けることができる。
【００８１】
ハウジング部を連結することによって、ハウジングの内部を挿通させて導電手段を設けることができる。したがって小形かつ簡素な構成で、組立性の良好な電磁弁装置を実現することができる。
【００８２】
（４）ハウジングと導電手段との間に設けられるシール手段を含むことを特徴とする電磁弁装置。
【００８３】
ハウジングと導電手段との間にシール手段が設けられる。このシール手段を設けることによって、ハウジングと導電手段との間を経て、流体が漏れることを防止することができる。
【００８４】
流体の漏れを防止できる好適な電磁弁装置を実現することができる。
【００８５】
（５）少なくとも、ハウジング、弁体および電磁駆動手段は、予め定める基準軸線に沿って配置され、
一次ポートは、ハウジングの基準軸線に沿う方向の圧力装置内部に配置される端部に形成されることを特徴とする電磁弁装置。
【００８６】
一次ポートが、ハウジングの基準軸線に沿う方向の圧力装置内部に配置される端部に形成される。このように一次ポートを端部に形成することによって、軸線に沿う方向の中間部に基準軸線と交差する方向に開口する一次ポートを形成する場合に比べて、一次ポートが圧力装置内部で開口するように構成する上での制限を少なくすることができる。
【００８７】
一次ポートを圧力装置内部で開口させるための制限が少なくなり、電磁弁をコンパクト化することができる。
【図面の簡単な説明】
【００８８】
【図１】本発明の実施の一形態の電磁開閉弁１０を示す断面図である。
【図２】図１の弁体１６付近を拡大して示す断面図である。
【図３】図１の導電線体１９付近を拡大して示す断面図である。
【図４】従来の技術の電磁弁１を示す斜視図である。
【符号の説明】
【００８９】
１０  電磁開閉弁
１１  タンク
１５  ハウジング
１６  弁体
１７  コイル
１８  駆動コイルばね
１９  導電線体
４４  主弁体
４５  パイロット弁体
７５  第１導電片（ターミナルピン）
７６  第２導電片
８８  リード線
８９  ターミナルソケット
【図１】
2008232440.tif 000003
【図２】
2008232440.tif 000004
【図３】
2008232440.tif 000005
【図４】
2008232440.tif 000006